(57)【要約】      （修正有）【課題】発光管内の陰極にエミッター物質として軽希土類酸化物を添加してなるショートアーク型放電ランプにおいて、陰極からエミッター物質である軽希土類酸化物が過剰に蒸発して早期に枯渇してしまうことを防止した構造を提供する。【解決手段】陰極３は、本体部３１とその先端側に接合された先端部３２とからなり、本体部は、エミッター物質として軽希土類酸化物を添加したタングステンからなり、先端部は、エミッター物質を含まないタングステンからなることを特徴とする。【選択図】図２
2014053075.tif 000002
【特許請求の範囲】
【請求項１】
発光管の内部に陰極と陽極とが対向配置されたショートアーク型放電ランプにおいて、
前記陰極は、本体部とその先端側に接合された先端部とからなり、
前記本体部は、エミッター物質として軽希土類酸化物を添加したタングステンからなり、
前記先端部は、エミッター物質を含まないタングステンからなることを特徴とするショートアーク型放電ランプ。
【請求項２】
前記軽希土類酸化物は、前記本体部の先端側の一部に添加されていることを特徴とする請求項１に記載のショートアーク型放電ランプ。
【請求項３】
前記陰極には、前記先端部の先端面から前記本体部にまで延びるエミッター供給開口が設けられていることを特徴とする請求項１または２に記載のショートアーク型放電ランプ
【請求項４】
前記先端部は、４Ｎ以上の純タングステン材料からなることを特徴とする請求項１〜３のいずれかに記載のショートアーク型放電ランプ。
【請求項５】
前記先端部には、タングステン粒子の粗大化抑制物質としてジルコニウム、カリウム、レニウム、ハフニウムの１種もしくは２種以上が添加されていることを特徴とする請求項１〜４のいずれかに記載のショートアーク型放電ランプ。
【請求項６】
前記先端部には、エミッター蒸発抑制材として、ジルコニア（ＺｒＯ２）、酸化タンタル（Ｔａ２Ｏ５）、ホウ素（Ｂ）、レニウム（Ｒｅ）の１種もしくは２種以上が添加されていることを特徴とする請求項１〜５のいずれかに記載のショートアーク型放電ランプ。
【発明の詳細な説明】
【技術分野】
【０００１】
この発明は、ショートアーク型放電ランプに関するものであり、特に、陰極に電子放射を良好にするためのエミッター物質を含有するショートアーク型放電ランプに係わるものである。
【背景技術】
【０００２】
一般に、水銀を封入したショートアーク型放電ランプにおいては、入力電力で例えば５００Ｗ以上の高負荷の放電ランプの陰極には、電子放射を容易にするためにエミッター物質が添加されている。例えば、特開２０１２−１５００８号公報（特許文献１）には、エミッター物質として酸化トリウムを含有する放電ランプ用の陰極が開示されている。
しかしながら、トリウムは放射性物質として法的規制の対象であり、その管理や取り扱いに慎重な配慮が必要であって、そのためにトリウムに代わる代替物質が要望されている。
【０００３】
そのトリウムに代わる代替物質として、希土類元素及びその化合物を用いるものが提案されている。希土類元素は、仕事関数（一般的に、物質表面から外方へ電子が飛び出す際に必要なエネルギー量を指す）が低く電子放射に優れた物質であり、トリウムの代替物質として期待されている。
特開２００６−２８６２３６号公報（特許文献２）には、陰極の材料であるタングステンにエミッター物質として付加的に酸化ランタン（Ｌａ２Ｏ３）を含有させたショートアーク型放電ランプが開示されている。
【０００４】
しかしながら、酸化ランタン（Ｌａ２Ｏ３）のような軽希土類酸化物は、酸化トリウム（ＴｈＯ２）より蒸気圧が高いために比較的蒸発しやすい。そのため、陰極に含有させるエミッター物質として酸化トリウムに代えて軽希土類酸化物を用いた場合、当該軽希土類酸化物が過度に蒸発してしまい、早期に枯渇してしまうという事態が発生する。このエミッター物質の枯渇により、陰極における電子放射機能が失われてしまい、フリッカーが生じてしまってランプ寿命が短くなるという問題がある。
【先行技術文献】
【特許文献】
【０００５】
【特許文献１】特開２０１２−１５００８号公報
【特許文献２】特開２００６−２８６２３６号公報
【発明の概要】
【発明が解決しようとする課題】
【０００６】
この発明は、上記従来技術の問題点に鑑みて、発光管の内部に、陰極と陽極とが対向配置されたショートアーク型放電ランプにおいて、陰極にエミッター物質として軽希土類酸化物を添加しても、当該エミッター物質の早期の枯渇を防止して、電子放出機能を長時間維持し、ランプのフリッカー寿命の長期化を図るようにした構造を提供しようとするものである。
【課題を解決するための手段】
【０００７】
上記課題を解決するために、この発明では、前記陰極が、本体部とその先端側に接合された先端部とからなり、前記本体部は、エミッター物質として軽希土類酸化物を添加したタングステンからなり、前記先端部は、エミッター物質を含まないタングステンからなることを特徴とする。
また、前記軽希土類酸化物は、前記本体部の先端側の一部に添加されていることを特徴とする。
また、前記陰極には、前記先端部の先端面から前記本体部にまで延びるエミッター供給開口が設けられていることを特徴とする。
また、前記先端部は、４Ｎ以上の純タングステン材料からなることを特徴とする。
また、前記先端部には、タングステン粒子の粗大化抑制物質としてジルコニウム、カリウム、レニウム、ハフニウムの１種もしくは2種以上が添加されていることを特徴とする。
また、前記先端部には、エミッター蒸発抑制材として、ジルコニア（ＺｒＯ２）、酸化タンタル（Ｔａ２Ｏ５）、ホウ素（Ｂ）、レニウム（Ｒｅ）の１種もしくは2種以上が添加されていることを特徴とする。
【発明の効果】
【０００８】
本発明によれば、エミッター物質として軽希土類酸化物が添加された本体部の先端に、エミッター物質を含まないタングステンからなる先端部が接合されているので、放電ランプを点灯した際に、本体部が放電アークに直接曝されることがなく、当該本体部に添加された軽希土類酸化物がアークによって過熱されることを抑制し、本体部から軽希土類酸化物が過度に蒸発してエミッター物質が早期に枯渇してしまうことを防止できるものである。
また、陰極には先端部の先端面から前記本体部にまで延びるエミッター供給開口が設けられたことにより、本体部から陰極先端に適切にエミッター物質が供給されて的確な電子放射機能が担保される。
【図面の簡単な説明】
【０００９】
【図１】本発明に係る陰極構造を有するショートアーク型放電ランプの全体図。
【図２】本発明の一実施例を表す陰極構造図。
【図３】他の実施例を表す陰極構造図。
【図４】更に他の実施例を表す陰極構造図。
【発明を実施するための形態】
【００１０】
図１はこの発明の陰極構造を有するショートアーク型放電ランプの全体構造を示し、ショートアーク型放電ランプ１は発光管２の内部に陰極３と陽極４とが対向配置されている。
図２に示されるように、陰極３は、本体部３１と、その先端に接合された先端部３２とからなる。前記本体部３１はタングステンからなり、エミッター物質として酸化ランタン（Ｌａ２Ｏ３）などの軽希土類酸化物が添加されている。
先端部３２は、前記本体部３１の先端、即ち、陽極４と対向する面に固相接合などの手段により接合されている。当該先端部３２は、エミッター物質が含まれないタングステン、好適には、４Ｎ以上の純タングステンからなる。
上記構成のショートアーク型放電ランプにおいては、陰極３の先端部３２のタングステン材料内部に形成された結晶粒界が本体部からのエミッター物質の供給経路として機能し、ランプを点灯した際には、陰極３の本体部３１に含まれるエミッター物質（軽希土類酸化物）は、この先端部３２の結晶粒界を経て、当該先端部３２の先端から放電アーク領域側に供給されていく。
このとき、タングステンからなる先端部３２があるために、本体部３１が直接放電アークに曝されることがないので、該本体部３１内の軽希土類酸化物が異常に過熱されることがなく、過度の蒸発が抑えられて早期の枯渇を招くことがない。
【００１１】
ところで、放電アークに直接曝される陰極３の先端部３２は非常に高温となり、その高温化で先端部３２のタングステン粒子は粗大化されやすく、その結晶粒界は減少してゆく。この結晶粒界が減少すると、本体部３１に含有されるエミッター物質の先端側への移動が抑制されてしまい、十分な電子放射機能がもたらされない。
そこで、先端部３２のタングステン（Ｗ）の粗大化を防ぐために、例えば、カリウム（Ｋ）をドープすることが有効である。
こうすることによって、タングステン粒子の粗大化が防がれて、先端部３２中に多くの結晶粒界を維持させることができ、エミッター物質の供給経路を維持させることが可能となる。これにより、陰極先端へのエミッター物質の安定的な供給が可能となり、より安定的な放電を維持することができる。
上記のほかに、タングステン粒子の粗大化を抑制する物質として、ジルコニウム（Ｚｒ）、レニウム（Ｒｅ）、ハフニウム（Ｈｆ）などを先端部３２に含有させることが有効である。
【００１２】
また、４Ｎ以上の純タングステンが形成されている陰極３の先端部３２には、エミッター蒸発抑制材として、ジルコニア（ＺｒＯ２）や酸化タンタル（Ｔａ２Ｏ５）、ホウ素（Ｂ）、レニウム（Ｒｅ）などを含有させることが好ましい。
これらエミッター蒸発抑制材は、その近傍に付着したエミッター物質内の電子を引き寄せる作用があり、エミッター物質の離脱を抑える作用がある。そのため、陰極３の先端部３２に上記エミッター蒸発抑制材を含有させることにより、先端部３２に形成される結晶粒界（エミッター供給経路）においてエミッターの蒸発を比較的抑えることができるものである。
【００１３】
図３に他の実施例が示されていて、この実施例では、陰極の先端に開口するエミッター供給開口５が穿設されている。即ち、陰極３の先端部３２の先端面３２ａに開口し、本体部３１にまで延びるエミッター供給開口５が形成されている。
こうすることで、本体部３１内のエミッター物質（軽希土類酸化物）を、上記供給開口５を経て的確に陰極先端にまで供給することができ、安定した放電が維持される。
なお、上記エミッター供給開口５は、他に特段の事情がない限り、本体部３１の中腹以上にまで穿設することが好ましく、エミッター物質の供給経路を長くすることができて、本体部３１内に含まれるエミッター物質を満遍なく先端側に移送することができ、より安定的な放電を維持することができる。
【００１４】
本発明における陰極３の本体部３１にエミッター物質として添加される軽希土類酸化物としては、Ｌａ２Ｏ３、ＣｅＯ２（Ｃｅ２Ｏ３）、Ｐｒ６Ｏ１７、Ｎｄ２Ｏ３、Ｓｍ２Ｏ３、Ｇｄ２Ｏ３などが挙げられる。
また、本体部３１には、上記軽希土類酸化物のほかに、エミッター蒸発抑制材として、ジルコニア（ＺｒＯ２）や酸化タンタル（Ｔａ２Ｏ５）、ホウ素（Ｂ）、レニウム（Ｒｅ）などが添加される。これにより、本体部３１内の軽希土類酸化物の過度の蒸発が適宜に抑制される。
【００１５】
以上の実施例では、本体部３１の全体にエミッター物質を添加したものを示したが、その一部に添加するものであってもよい。
図４にその実施例が示されていて、全体がタングステンからなる本体部３１の先端側の一部３１ａにエミッター物質（軽希土類酸化物）が添加されている。この例では、先端部３２に開口するエミッター供給開口５が設けられているが、該供給開口５は、本体部３１のエミッター物質添加部分３１ａの領域に形成されている。
このエミッター物質を含有させる領域を、本体部３１の全体にするか、先端側の一部にするか、更には、一部にする場合にどの程度の領域にするかは、放電ランプの形態、入力電力、電極形状やサイズなどによって適宜に決定される。
【００１６】
上記陰極の具体的な数値例を挙げると以下の通りである。
＜陰極＞
先端部の厚さ：１〜３ｍｍ
先端部の材料：４Ｎタングステン、ＺｒＯ２（１％）―Ｗ、Ｋ−Ｗ、
Ｒｅ（３％）−Ｗ  等
本体部の材料：Ｌａ２Ｏ３（２．５％）−ＺｒＯ２（０．１％）−Ｗ
エミッター物質：Ｌａ２Ｏ３、ＣｅＯ２（Ｃｅ２Ｏ３）、Ｐｒ６Ｏ１７、Ｎｄ２Ｏ３、
Ｓｍ２Ｏ３、Ｇｄ２Ｏ３などの希土類酸化物
エミッター供給開口の深さ：３〜１０ｍｍ
【００１７】
以下のランプを作製して本発明の効果を実証すべく実験を行った。
＜実施例１＞
本発明の図２に示される態様であって、エミッター物質として軽希土類酸化物が添加された本体部３１の先端に、エミッター物質を含まないタングステンからなる先端部３２を設け、該先端部３２にエミッター蒸発抑制材としてＺｒＯ２が含有されている例。
１ｋＷ  ショートアークランプ（トリアレス陰極）
陰極寸法：外径φ８ｍｍ、先端角４０度、先端径φ０．６ｍｍ
先端部の材料：ＺｒＯ２（１％）−W
先端部の厚さ：１ｍｍ
本体部の材料：Ｌａ２Ｏ３（２．５％）−ＺｒＯ２（０．１％）−Ｗ
＜実施例２＞
本発明の図３に示される態様であって、エミッター物質として軽希土類酸化物が添加された本体部３１の先端に、エミッター物質を含まないタングステンからなる先端部３２を設け、該先端部３２にエミッター供給開口５を形成した例。
１ｋＷ  ショートアークランプ（トリアレス陰極）
陰極寸法：外径φ８ｍｍ、先端角４０度、先端径φ０．６ｍｍ
先端部の材料：４Ｎタングステン
先端部の厚さ：１ｍｍ
本体部の材料：Ｌａ２Ｏ３（２．５％）−ＺｒＯ２（０．１％）−Ｗ
エミッター供給開口：φ０．２ｍｍ、深さ７ｍｍ
【００１８】
＜比較例１＞
エミッター物質として軽希土類酸化物が添加された陰極３であって、本発明の先端部を有しない例。
１ｋＷ  ショートアークランプ（トリアレス陰極）
陰極寸法：外径φ８ｍｍ、先端角４０度、先端径φ０．６ｍｍ
陰極材料：Ｌａ２Ｏ３（２．５％）−ＺｒＯ２（０．１％）−Ｗ
＜比較例２＞
エミッター物質として酸化トリウムが添加された従来陰極３。
１ｋＷ  ショートアークランプ（トリア陰極）
陰極寸法：外径φ８ｍｍ、先端角４０度、先端径φ０．６ｍｍ
陰極材料：ＴｈＯ２（２％）−Ｗ
【００１９】
以上の各ランプを、Ａｒ雰囲気下（１ａｔｍ）で、ランプ電流を７２Ａとして放電を３０分間行い、電圧変動率｛（Ｖｍａｘ.−Ｖｍｉｎ.）／Ｖａｖｅ.｝を求めて、各ランプの放電の安定性を評価した。
なお、電圧値は、ランプ点灯から、放電が安定する２０分後の電圧値を測定対象とした。その結果が以下の通りである。
2014053075.tif 000003
比較例１（従来のトリアレス陰極ランプ）は、比較例２（トリア陰極ランプ）よりも電圧変動率が高くなった。これは比較例１のエミッター物質に用いた軽希土類が早期に枯渇してしまい、安定な放電が困難になったためと考察される。
これに対して、実施例１（本発明のトリアレス陰極ランプ）および実施例２（本発明のトリアレス陰極ランプで、陰極先端にエミッター開口を設けたもの）は、同じトリアレス陰極ランプである比較例１よりも電圧変動率が小さく保たれており、更には、トリア陰極ランプである比較例２よりも小さい。これは、実施例１の特異な構成により、エミッター物質である軽希土類酸化物の枯渇が抑制され、長期にわたって安定な放電が可能になったためと推察される。
なお、実施例１が実施例２よりも電圧変動率が低くなっているが、これは、先端部にエミッター蒸発抑制材としてＺｒＯ２を添加したためである。
【００２０】
以上説明したように、本発明においては、陰極にエミッター物質として軽希土類酸化物を添加してなるショートアーク型放電ランプにいて、前記陰極が、本体部とその先端側に接合された先端部とからなり、前記本体部は、エミッター物質として軽希土類酸化物を添加したタングステンからなり、前記先端部は、エミッター物質を含まないタングステンからなる構成としたことにより、エミッター物質である軽希土類酸化物を含有する本体部が放電アークに直接曝されることがなく、本体部に含まれる軽希土類酸化物が過度に蒸発して早期に枯渇してしまうことを防止できて、安定的な放電が維持されるものである。
【符号の説明】
【００２１】
１      ショートアーク型放電ランプ
２      発光管
３      陰極
３１    本体部
３１ａ  エミッター添加部分
３２    先端部
３２ａ  先端面
４      陽極
５      エミッター供給開口
【図１】
2014053075.tif 000004
【図２】
2014053075.tif 000005
【図３】
2014053075.tif 000006
【図４】
2014053075.tif 000007